(57)【要約】【課題】テキストや教材を用意しないで教育を受講することを防止すると共に、悪意を有する第三者によるパスワードの盗用や不正行為を防止すると共に認証処理に要する生徒の労力を軽減する。【解決手段】教育を受講する都度、教育に使用するテキスト９に組み込まれたＩＣタグ１０に記憶されたテキスト識別番号に基づいて認証処理を行う。これにより、生徒は受講する受講科目のテキスト９を準備しない限り認証処理を成功できず、教育を受講することができない。また、認証処理は、生徒が設定するパスワードに加え、読取り装置１１で読み取ったテキスト９のテキスト識別番号を用いるので、認証に要する生徒の労力を増加させないで、悪意を有する第三者の不正行為を防止することができる。【選択図】      図１
2005157099.tif 000002
【特許請求の範囲】
【請求項１】
通信手段を介して教育を行う教育システムにおいて、
教育を行う主催者側に設けられたサーバ装置と、
前記教育を受講する生徒側に設けられた端末装置とで構成され、
前記サーバ装置は、少なくとも前記主催者が提供する前記教育のテキストに付与した固有のテキスト識別番号を記憶するテキスト情報記憶部を有し、
前記端末装置は、前記教育のテキストに付与された固有のテキスト識別番号を読み取る読み取り手段を有し、
前記サーバ装置は、前記端末装置および前記読み取り手段を介して前記教育を受講する生徒の所有する前記テキストに付与された固有のテキスト識別番号を取得して、前記テキスト情報記憶部に記憶された前記テキスト識別番号と照合し、両者が一致した場合に教育を開始することを特徴とする教育システム。
【請求項２】
前記テキストに付与された固有のテキスト識別番号は前記テキストに設けられた記憶手段に記憶されていることを特徴とする請求項１に記載の教育システム。
【請求項３】
前記記憶手段は非接触型ＩＣタグであることを特徴とする請求項２に記載の教育システム。
【請求項４】
通信手段を介して教育を行う教育システムにおいて、
教育を行う主催者側に設けられたサーバ装置と、
前記教育を受講する生徒側に設けられた端末装置とで構成され、
前記サーバ装置は、少なくとも前記主催者が提供する前記教育のテキストを記憶するテキスト情報記憶部と、前記テキスト情報記憶部に記憶したテキストの任意の文字列を指定するテキスト文字指定情報を決定するテキスト文字指定情報抽出部を有し、前記教育を受講する生徒に前記端末装置から前記テキスト文字指定情報で決定した任意の文字列を入力送信させ、両文字列が一致する場合に教育を開始することを特徴とする教育システム。
【請求項５】
前記テキスト文字指定情報は、指定された前記文字列が前記テキストに掲載されたページ数，行数，列数，文字数で構成されることを特徴とする請求項４に記載の教育システム。
【請求項６】
前記テキスト文字指定情報のページ数，行数，列数，文字数は、乱数によって決定されることを特徴とする請求項４又は請求項５に記載の教育システム。
【請求項７】
通信手段を介して教育を行う教育方法において、
講義開始の際、生徒が所有するテキストに付与された固有のテキスト識別番号を読み取るステップと、
予め記憶した前記教育のテキストに付与した固有のテキスト識別番号を読み出すステップと、
読み出した予め記憶しているテキスト識別番号と受講者が所有するテキストから読み取ったテキスト識別番号とを比較するステップと、
両前記テキスト識別番号が一致した場合に教育を開始するステップと
を有することを特徴とする教育方法。
【請求項８】
通信手段を介して教育を行う教育方法において、
講義開始の際、講義に使用するテキストの任意の文字列を指定するテキスト文字指定情報を決定するステップと、
前記受講する生徒が所有するテキストの決定された前記テキスト文字指定情報に従って入力された任意の文字列を取得するステップと、
決定したテキスト文字指定情報で指定された前記任意の文字列と取得した前記任意の文字列とを比較するステップと、
両、前記任意の文字列が一致した場合に教育を開始するステップと
を有することを特徴とする教育方法。
【発明の詳細な説明】
【技術分野】
【０００１】
本発明は、インターネット等の通信回線を介して教育を行う教育システム及び教育方法に関し、より詳しくは、テキストや教材を用意しないで教育を受講することを防止すると共に、悪意を有する第三者によるパスワードの盗用や不正行為を防止すると共に認証処理に要する生徒の労力を軽減する技術に係わる。
【背景技術】
【０００２】
近年の通信回線の急速な普及に伴い、インターネットを利用したｅラーニング等、電気通信回線を介して教育を行う教育システムが実用化され、生徒は自分の都合の良い時間や場所で各種教育を受けることができるようになった（例えば特許文献１参照）。
【特許文献１】特開２００２−４１４５８号公報
【発明の開示】
【発明が解決しようとする課題】
【０００３】
しかしながら、従来までの教育システムでは、教育を主催する側は、生徒が教育に使用するテキストや教材を用意しているか否かを確認することができないために、生徒がテキストや教材を用意していなくても教育を開始することが可能であった。
【０００４】
テキストや教材が用意されないで、教育カリキュラムが進められることは、生徒の教育カリキュラム習得に支障を来すという問題だけでなく、主催者にとっても教育カリキュラムの進捗に支障を来す等の不具合や経済的損失が生じる場合があった。
【０００５】
また、従来までの教育システムでは、パスワード等による簡単な認証処理でログインして、教育を受講することが一般的であったため悪意を有する第三者がハッキングソフト等の手段を利用して、登録済みの生徒のパスワード等を盗用して、正規に登録された生徒になりすまして教育を受講することも可能であった。
【０００６】
さらに、盗用したパスワード等に基づいて得られた情報をインターネット等で不当に公開する等の問題があった。
【０００７】
このような、悪意を有する第三者による不正行為を防止するため、認証処理に使用するパスワードの桁数を大きく設定する等の方法が採用されている場合もあるが、生徒は受講の都度大きな桁数のパスワードを入力することが必要になり、認証処理に大きな労力を要するという問題があった。
【０００８】
本発明は、上記の課題を解決するためになされたものであり、その目的は、テキストや教材を用意しないで教育を受講することを防止すると共に、悪意を有する第三者によるパスワードの盗用や不正行為を防止すると共に認証処理に要する生徒の労力を軽減することが可能な、教育システム及び教育方法を提供することにある。
【課題を解決するための手段】
【０００９】
上記の問題を解決するために、本考案における教育システムは、通信手段を介して教育を行う教育システムにおいて、教育を行う主催者側に設けられたサーバ装置と、前記教育を受講する生徒側に設けられた端末装置とで構成され、前記サーバ装置は、少なくとも前記主催者が提供する前記教育のテキストに付与した固有のテキスト識別番号を記憶するテキスト情報記憶部を有し、前記端末装置は、前記教育のテキストに付与された固有のテキスト識別番号を読み取る読み取り手段を有し、前記サーバ装置は、前記端末装置および前記読み取り手段を介して前記教育を受講する生徒の所有する前記テキストに付与された固有のテキスト識別番号を取得して、前記テキスト情報記憶部に記憶された前記テキスト識別番号と照合し、両者が一致した場合に教育を開始することを特徴とする。そして、前記テキストに付与された固有のテキスト識別番号は前記テキストに設けられた記憶手段に記憶されていることを特徴とする。
【００１０】
このように構成することで、教育を開始する都度テキストに設けられた記憶手段に記憶されているテキスト識別番号を読み取り手段で読み取り、読み取ったテキスト識別番号に基づいて認証処理を実行するので、テキストが用意されていないと教育を開始しない。また、記憶手段に記憶された固有のテキスト識別番号に基づいて認証処理が行われるので、悪意を有する第三者による不正行為を防止できる。
【００１１】
また、通信手段を介して教育を行う教育システムにおいて、教育を行う主催者側に設けられたサーバ装置と、前記教育を受講する生徒側に設けられた端末装置とで構成され、前記サーバ装置は、少なくとも前記主催者が提供する前記教育のテキストを記憶するテキスト情報記憶部と、前記テキスト情報記憶部に記憶したテキストの任意の文字列を指定するテキスト文字指定情報を決定するテキスト文字指定情報抽出部を有し、前記教育を受講する生徒に前記端末装置から前記テキスト文字指定情報で決定した任意の文字列を入力送信させ、両文字列が一致する場合に教育を開始することを特徴とする。
【００１２】
このように構成することで、教育を開始する都度テキストの任意の文字列を指定するテキスト文字指定情報に基づいてテキストの準備状況確認と認証処理を行うので、テキストが用意されていないと教育は開始されず、悪意を有する第三者による不正行為も防止できる。
【００１３】
さらに、通信手段を介して教育を行う教育方法において、講義開始の際、生徒が所有するテキストに付与された固有のテキスト識別番号を読み取るステップと、予め記憶した前記教育のテキストに付与した固有のテキスト識別番号を読み出すステップと、読み出した予め記憶しているテキスト識別番号と受講者が所有するテキストから読み取ったテキスト識別番号とを比較するステップと、両前記テキスト識別番号が一致した場合に教育を開始するステップとを有することを特徴とする。
【００１４】
さらにまた、通信手段を介して教育を行う教育方法において、講義開始の際、講義に使用するテキストの任意の文字列を指定するテキスト文字指定情報を決定するステップと、前記受講する生徒が所有するテキストの決定された前記テキスト文字指定情報に従って入力された任意の文字列を取得するステップと、決定したテキスト文字指定情報で指定された前記任意の文字列と取得した前記任意の文字列とを比較するステップと、両、前記任意の文字列が一致した場合に教育を開始するステップとを有することを特徴とする。
【発明を実施するための最良の形態】
【００１５】
以下、図面を参照して、本発明の第１，第２の実施形態となる教育システムの構成および動作について詳しく説明する。
【実施例１】
【００１６】
始めに、図１から図６を参照して、本発明の第１の実施形態となる教育システムの構成および動作について説明する。
【００１７】
［教育システムの構成］
本発明の第１の実施形態となる教育システム１は、図１に示すように、教育を主催する主催者側に設けられたサーバ装置２と、主催者が主催する教育を受講する生徒により操作される端末装置３とを主な構成要素として備え、サーバ装置２と端末装置３はインターネット４を介して相互に通信可能に構成されている。また、本教育システム１における教育カリキュラムは、主催者が作成したテキスト９に従って進められ、教育を受講する生徒は、受講開始前までにテキスト９を購入することが前提である。また、テキスト９には、主催者がテキスト９を識別するためのテキスト識別番号とテキスト識別番号に対応する教科名，対象学年，版番号等のテキスト情報を記憶した非接触型ＩＣ（Integrated Circuit）タグ１０（以下、ＩＣタグと略記）が図４に示すようにテキスト９の裏表紙等の適当な部位に組み込まれ、剥がされて別目的に使用されないように保護シール１２等の不正使用防止処置が採られている。なお、ＩＣタグ１０は、一般的にＲＦＩＤ（Radio Frequency IDentification）と呼ばれる電波を用い非接触でデータキャリアを認識する個体認識技術であり、出願時点では公知であり、詳細な説明は省略する。
【００１８】
サーバ装置２は、パーソナルコンピュータ等の汎用の情報処理装置により構成され、教育を受講するため正規に登録された生徒の情報を生徒毎に記憶する生徒情報記憶部５と、テキスト９に組み込まれたＩＣタグ１０に記憶させたテキスト情報をテキスト識別番号毎に記憶するテキスト情報記憶部６と、テキスト情報に対応する教育カリキュラムを記憶する学習問題記憶部７と、サーバ装置２の全ての動作を制御する制御部８とを有する。また、インターネット４を介して端末装置３と情報通信を行う通信制御部（図示しない）を備える。
【００１９】
端末装置３はパーソナルコンピュータ等の汎用の情報処理装置により構成され、端末装置３の動作を制御実行する制御部（図示しない）と、各種情報を表示する表示部（図示しない）と、各種情報を入力する入力部（図示しない）と、インターネット４を介してサーバ装置２と情報通信を行う通信制御部（図示しない）等を備える。また、端末装置３にはテキスト９に組み込まれたＩＣタグ１０が記憶するテキスト識別番号やテキスト情報を読み取る読取り装置（例えばＩＣタグリーダ）１１が接続されている。
【００２０】
ここで、第１の実施形態における生徒情報記憶部５には、図２に示すように正規に登録された生徒一人一人の氏名，住所，電話番号等の個人情報、パスワードに加え、受講科目，受講月日，受講時間，カリキュラムの進捗度（例えば、テキスト９のページ数）等の教育履歴、成績等が記憶される。
【００２１】
また、テキスト情報記憶部６には、図３に示すようにＩＣタグ１０が組み込まれているテキスト９の少なくとも識別番号，教科名，対象学年，版番号を記憶する。さらにセキュリティーを高めるため暗号化パスワードを記憶することが望ましい。
【００２２】
なお、テキスト識別番号はテキスト９毎に固有に付与されている番号で、英数字，カタカナ等で構成され、他のテキストのテキスト識別番号とは重複しない。
【００２３】
また、暗号化パスワードはテキスト９共通に設定されても、固有に設定されてもよい。
【００２４】
さらに、サーバ装置２と端末装置３はインターネット４を介して接続された場合を示しているが、本発明はインターネット４に限定されることなく、有線，無線を問わす通信手段であれば特に限定されない。
【００２５】
また、サーバ装置２と端末装置３の情報通信はＳＳＬ（Secure Socket Layer）通信技術を利用して情報の機密性を高めることが望ましい。
【００２６】
以上のような構成を有する本発明の第１の実施形態となる教育システム１は、以下に説明する動作により生徒がテキスト９を準備せずに教育を受講することを防止すると共に、悪意を有する第三者による不正行為を防止しつつ、認証処理に要する生徒の労力を軽減する。
【００２７】
以下、図５に示すフローチャートを参照して、本発明の第１の実施形態となる教育システム１の動作について説明する。
【００２８】
［教育システムの動作］
図５に示すフローチャートは、教育システム１の動作手順を示し、生徒が端末装置３からサーバ装置２にアクセスすることで開始される。なお、サーバ装置２および端末装置３の動作は、制御部８のＣＰＵ（図示しない）がＲＯＭ（図示しない）に記憶されたプログラムを実行することにより実現される。
【００２９】
ステップＳ１の処理において制御部８は、通信制御部（図示しない）およびインターネット４を介して端末装置３に認証データを入力する認証データ入力画面のデータを送信する。
【００３０】
ステップＳ２の処理において端末装置３の制御部（図示しない）は、通信制御部（図示しない）を介して認証データ入力画面のデータを受信すると、表示部（図示しない）に認証データ入力画面を表示する。
【００３１】
なお、認証データ入力画面は例えば、図６に示すように、受講学科を入力する受講学科入力欄Ａ，受講者の氏名を入力する氏名入力欄Ｂ，受講者のパスワードを入力するパスワード入力欄Ｃの他に、新規登録の場合に選択する新規登録ボタンや、入力事項の送信を指示する送信ボタン等を備える。
【００３２】
ステップＳ３の処理において生徒により受講学科入力欄Ａに受講学科、氏名入力欄Ｂに受講者氏名、パスワード入力欄Ｃにパスワードが入力部（図示しない）から入力され、送信ボタンにより入力事項の送信が指示されると、端末装置３の制御部（図示しない）は、入力された認証データを通信制御部（図示しない）およびインターネット４を介してサーバ装置２に送信する。なお、受講学科入力欄Ａはプルダウンメニューから選択して入力する方法が好ましい。
【００３３】
ステップＳ４の処理において、制御部８は、受信した認証データが生徒情報記憶部５に記憶されているか否かを判別する。判別の結果、受信した認証データが生徒情報記憶部５に記憶されていない（認証失敗）場合、処理をステップＳ５に進め、受信したデータが生徒情報記憶部５に記憶されている（認証成功）場合、処理をステップＳ６に進める。
【００３４】
ステップＳ５の処理において制御部８は、例えば、「認証に失敗しました。入力事項を確認して再度送信してください。」と伝えるメッセージデータを端末装置３に送信し、処理をステップＳ１に戻す。
【００３５】
一方、受信した認証データが生徒情報記憶部５に記憶されている場合、ステップＳ６の処理において制御部８は、ステップＳ４で受信した認証データを参照して、生徒が受講する受講学科のテキスト９を読取り装置１１にセットするテキストセット指示画面データを、インターネット４を介して端末装置３に送信する。
【００３６】
ステップＳ７の処理において端末装置３は、受信したテキストセット指示画面を表示する。
【００３７】
ステップＳ８の処理において端末装置３は、生徒により受講学科のテキスト９がセットされると読取り装置１１を介して、少なくともテキスト９に組み込まれたＩＣタグ１０に記憶されたテキスト識別番号を読み取り、サーバ装置２にテキスト識別番号を送信する。
【００３８】
ステップＳ９の処理において制御部８は、受信したテキスト識別番号がテキスト情報記憶部６に記憶されているか否かを判別する。判別の結果、受信したテキスト識別番号がテキスト情報記憶部６に記憶されていない（認証失敗）場合は、処理をステップＳ１０に進め、受信したテキスト識別番号がテキスト情報記憶部６に記憶されている（認証成功）場合は、処理をステップＳ１１に進める。
【００３９】
ステップＳ１０の処理において制御部８は、ステップＳ４で受信した認証データを参照して、例えば「認証に失敗しました。受講学科○○のテキストをセットしてください。」と表示するメッセージデータを端末装置３に送信し、処理をステップＳ６に戻す。
【００４０】
一方、受信したテキスト９の識別番号がテキスト情報記憶部６に記憶されている場合ステップＳ１１の処理において制御部８は、生徒情報記憶部５の指導履歴を参照し、学習問題記憶部７に記憶されたテキスト識別番号に対応する教育カリキュラムを開始する。
【００４１】
ステップＳ１２の処理において制御部８は、端末装置３から生徒の教育終了指示を受信したか否かを判別する。判別の結果、生徒の教育終了指示を受信していないと判別した場合は処理をステップＳ１１に戻し、生徒の教育終了指示を受信したと判別した場合は処理をステップＳ１３に進める。
【００４２】
ここで、生徒の「教育終了指示」とは、生徒の都合により受講を一旦終了したい場合に生徒が教育の中止を要求する指示のことで、端末装置３に表示される教育カリキュラムの画面から指示することができる。
【００４３】
ステップＳ１３の処理において制御部８は、指導履歴（受講科目，受講月日，受講時間，カリキュラムの進捗度（例えば、テキスト９の教育終了ページ数）等の教育履歴や成績等）を生徒情報記憶部５に記憶し、一連の教育処理を終了する。
【００４４】
以上の説明から明らかなように、本発明の第１の実施形態となる教育システム１によれば、教育を受講する都度、教育に使用するテキスト９に組み込まれたＩＣタグ１０に記憶されたテキスト識別番号に基づいて認証処理が行われるので、生徒は受講する受講科目のテキスト９を準備しない限り認証処理を成功できず、教育を受講することができない。また、認証処理は、生徒が設定するパスワードに加え、読取り装置１１で読み取ったテキスト９のテキスト識別番号を用いるので、認証に要する生徒の労力を増加させないで、悪意を有する第三者の不正行為を防止することができる。
【００４５】
また、本発明の第１の実施形態となる教育システム１によれば、ＩＣタグ１０には暗号化パスワードが記憶され、インターネット４等の通信回線を介したデータの送受信に利用することができるので第三者によるデータの盗用や悪用を防止することができる。
【００４６】
さらに、本発明の第１の実施形態となる教育システム１によれば、ＩＣタグ１０にはテキスト９のテキスト識別番号の他に、テキスト情報（例えば、学科，学年，版番号等）が記憶できるので教育の主催者は、頻繁なテキストの改編が可能であり、生徒は所有するテキスト９に組み込まれたＩＣタグ１０が記憶するテキスト情報に適合する教育カリキュラムを受講することができる。
【実施例２】
【００４７】
次に、図７から図１１を参照して、本発明の第２の実施形態となる教育システムの構成と動作について説明する。
【００４８】
［教育システムの構成］
本発明の第２の実施形態となる教育システム２０は、図７に示すように、教育を主催する主催者側に設けられたサーバ装置２１と、主催者が主催する教育を受講する生徒により操作される端末装置３とを主な構成要素として備え、サーバ装置２１と端末装置３はインターネット４を介して相互に通信可能に構成されている。また、本教育システム２０における教育カリキュラムは、主催者が作成したテキスト９に従って進められ、教育を受講する生徒は、受講開始前までにテキスト９を購入することが前提である。
【００４９】
サーバ装置２１は、パーソナルコンピュータ等の汎用の情報処理装置により構成され、教育を受講するため正規に登録された生徒の情報を生徒毎に記憶する生徒情報記憶部５と、全ての講義に使用するテキスト９の文字を記憶するテキスト文字記憶部２２と、テキスト９に対応する教育カリキュラムを記憶する学習問題記憶部７と、講義を開始する時テキスト９の準備状況を確認するため、講義に使用するテキスト９の中に記載される任意の文字または文字列を指定するための情報を抽出するテキスト文字情報抽出部２３と、サーバ装置２１の動作を制御する制御部８を有する。即ち、サーバ装置２１は、第１の実施形態で説明したサーバ装置２とはテキスト文字記憶部２２、テキスト文字情報抽出部２３が相違する以外、同一である。また、端末装置３は、読取り装置１１が接続されていない点を除き同一である。従って、テキスト文字記憶部２２、テキスト文字情報抽出部２３の詳細について説明し、それ以外の構成要素の説明は省略する。テキスト文字記憶部２２には、図８に示すようテキスト９毎に、ページ番号，行番号，列番号，文字数に対応する文字または文字列が記憶されている。なお、テキスト文字記憶部２２に記憶される文字または文字列は、予め教育の主催者側がテキスト９から任意に選択したページ番号，行番号，列番号および文字数に対応する文字または文字列でもよいし、テキスト９の全ての文字でもよい。
【００５０】
テキスト文字情報抽出部２３は、講義に使用するテキスト９の準備状況を確認するため、テキスト文字記憶部２２に記憶されたテキスト９のページ数，行数，列数および文字数の中から任意に選択する。
【００５１】
この場合、テキスト文字情報抽出部２３によって選択される文字または文字列は、テキスト文字記憶部２２に記憶される文字又は文字列によって異なる。例えば予め教育の主催者側がテキスト９から任意に選択したページ番号，行番号，列番号および文字数に対応する文字または文字列が記憶されている場合は、教育の主催者側が選択したページ番号，行番号，列番号に対応する文字または文字列が選択され、テキスト９の全ての文字が記憶されている場合は、テキスト９の全てのページ番号，行番号，列番号および文字数に対応する文字または文字列が任意に選択される。
【００５２】
以上の様な構成を有する本発明の第２の実施形態となる教育システム２０は、以下に説明する動作により生徒がテキスト９を準備せずに教育を受講することを防止すると共に、悪意を持った第三者による不正行為を防止しつつ、認証処理に要する生徒の負担を軽減する。
【００５３】
以下、図９に示すフローチャートを参照して、本発明の第２の実施形態となる教育システム２０の動作について説明する。
【００５４】
［教育システムの動作］
図９に示すフローチャートは、教育システム２０の動作手順を示し、生徒が端末装置３からサーバ装置２１にアクセスすることで開始される。なお、サーバ装置２１および端末装置３の動作は、制御部８のＣＰＵ（図示しない）がＲＯＭ（図示しない）に記憶されたプログラムを実行することにより実現される。
【００５５】
ステップＳ２１の処理において制御部８は、通信制御部（図示しない）およびインターネット４を介して端末装置３に認証データを入力する認証データ入力画面のデータを送信する。
【００５６】
ステップＳ２２の処理において端末装置３の制御部（図示しない）は、通信制御部（図示しない）を介して認証データ入力画面のデータを受信すると、表示部（図示しない）に認証データ入力画面を表示する。
【００５７】
なお、認証データ入力画面は例えば、図６に示すように、受講学科を入力する受講学科入力欄Ａ、受講者の氏名を入力する氏名入力欄Ｂ、受講者のパスワードを入力するパスワード入力欄Ｃの他に、新規登録の場合に選択する新規登録ボタンや、入力事項の送信を指示する送信ボタン等を備える。
【００５８】
ステップＳ２３の処理において生徒により受講学科入力欄Ａに受講学科、氏名入力欄Ｂに受講者氏名、パスワード入力欄Ｃにパスワードが入力部（図示しない）から入力され、送信ボタンにより入力事項の送信が指示されると、端末装置３の制御部（図示しない）は、入力された認証データを通信制御部（図示しない）およびインターネット４を介してサーバ装置２１に送信する。
【００５９】
ステップＳ２４の処理において、制御部８は、受信した認証データが生徒情報記憶部５に記憶されているか否かを判別する。判別の結果、受信した認証データが生徒情報記憶部５に記憶されていない（認証失敗）場合、処理をステップＳ２５に進め、受信したデータが生徒情報記憶部５に記憶されている（認証成功）場合、処理をステップＳ２６に進める。
【００６０】
ステップＳ２５の処理において制御部８は、例えば、「認証に失敗しました。入力事項を確認して再度送信してください。」と伝えるメッセージデータを端末装置３に送信し、処理をステップＳ２１に戻す。
【００６１】
一方、受信した認証データが生徒情報記憶部５に記憶されている場合、ステップＳ２６の処理において制御部８は、ステップＳ２４で受信した認証データを参照して、生徒が受講する受講学科をテキスト文字情報抽出部２３に送信し、テキスト文字情報抽出部２３は受講学科に対応するテキスト文字記憶部２２に記憶されているページ番号，行番号，列番号，文字数、およびそれに対応する文字または文字列を乱数発生器等による乱数を利用して任意に選択し、制御部８に送信し、制御部８は受信した生徒が受講する受講学科のテキスト９に記載されている文字または文字列の入力を指定する指示画面データを、インターネット４を介して端末装置３に送信する。なお、文字列は、和文の場合は行の開始位置から文字単位に数えた番号であり、欧文の場合にはワード単位に数えた番号とし、文字数は、和文の場合は文字単位、欧文の場合はワードを構成するアルファベットの単位の数値とする。
【００６２】
ステップＳ２７の処理において端末装置３は、受信した指示画面を表示する。指示画面は例えば、図１０に示すように、文字または文字列を指定する受講学科，ページ番号，行番号、列番号および文字数と当該箇所に記載されている文字または文字列を入力する文字入力欄Ｄ、入力事項の送信を指示する送信ボタン等を備える。
【００６３】
ステップＳ２８の処理において端末装置３は、生徒により文字または文字列が入力され、送信ボタンにより入力事項の送信が指示されると、インターネット４を介してサーバ装置２１に入力された文字または文字列を送信する。
【００６４】
ステップＳ２９の処理において制御部８は、端末装置３から受信した文字または文字列がテキスト文字情報抽出部２３から受信した文字または文字列と一致するか否かを判別する。判別の結果、双方の受信した文字または文字列が一致しない（認証失敗）場合は、処理をステップＳ３０に進め、双方の受信した文字または文字列が一致した（認証成功）場合は、処理をステップＳ３１に進める。
【００６５】
ステップＳ３０の処理において制御部８は、例えば「認証に失敗しました。受講学科○○のテキストですか。確認して再入力ください。」と表示するメッセージデータを端末装置３に送信し、処理をステップＳ２６に戻す。
【００６６】
一方、双方の受信した文字または文字列が一致した（認証成功）場合ステップＳ３１の処理において制御部８は、生徒情報記憶部５の指導履歴を参照し、学習問題記憶部７に記憶された受講学科テキスト９に対応する教育カリキュラムを開始する。
【００６７】
ステップＳ３２の処理において制御部８は、端末装置３から生徒の教育終了指示を受信したか否かを判別する。判別の結果、生徒の教育終了指示を受信していないと判別した場合は処理をステップＳ３１に戻し、生徒の教育終了指示を受信したと判別した場合は処理をステップＳ３３に進める。
【００６８】
ここで、生徒の「教育終了指示」とは、第１の実施形態の説明と同じであり、省略する。
【００６９】
ステップＳ３３の処理において制御部８は、指導履歴（受講科目，受講月日，受講時間，カリキュラムの進捗度（例えば、テキスト９の教育終了ページ数）等の教育履歴や成績等）を生徒情報記憶部５に記憶し、一連の教育処理を終了する。
【００７０】
以上の説明から明らかなように、本発明の第２の実施形態となる教育システム２０によれば、サーバ装置２１は、テキスト文字記憶部１３に記憶されたテキスト９のページ数、行数，列数および文字列を任意に選択し、生徒にページ数，行数，列数および文字数で指定される文字または文字列を入力させ、両者が一致するか否かを判別し、両者が一致しない限りテキストが準備されていないと見なして教育を開始しない。
【００７１】
従って、教育を受講する都度生徒は、認証処理のためテキスト９を必要とするので、球教育システム２０は、生徒がテキスト９を準備しないで教育を受講することが防止できる。また、認証処理は生徒が設定するパスワードに加え、テキスト９のページ数、行数，列数および文字数で指定される文字または文字列を入力するだけなので、生徒の認証に要する労力を増加させないで、悪意を有する第三者の不正行為を防止することができる。
【００７２】
以上、本発明によってなされた発明を適用した実施形態について説明したが、この実施形態による本発明の開示の一部をなす論述及び図面によって本発明は限定されることはない。
【００７３】
例えば、第１の実施形態となる教育システム１は、ＩＣタグ１０を組み込んだテキスト９を用いて教育を行うものであったが、図１２から図１４に示すような応用が可能である。
【００７４】
図１２は書道教育システムへの適用例を示す。図１に示す第１の実施形態とは端末装置３にビデオカメラ１５が接続され、ＩＣタグ１０が筆１４に組み込まれ、テキスト情報記憶部６に筆１４を特定する筆情報が記憶されている点で異なるが、教育を開始する際は、１４のＩＣタグ１０に記憶された筆情報を読取り装置（例えばＩＣタグリーダ）１１で読み取って、サーバ装置２に記憶されている筆情報と照合して、筆１４が準備されていることを確認し、一致した場合にのみ教育を開始することで第１の実施形態と同様の効果を得ることができる。なお、ビデオカメラ１５は筆１４を使用して書かれる文字形状，筆順，はね等の添削をサーバ装置２が行うため映像を取り込むためのものである。
【００７５】
また、図１３は楽器レッスンシステムへの適用例を示す。図１に示す第１の実施形態とは端末装置３にマイク１７が接続され、ＩＣタグ１０が楽器１６に組み込まれ、テキスト情報記憶部６に楽器１６を特定する楽器情報が記憶されている点で異なるが、楽器レッスンを開始する際は、楽器１６のＩＣタグ１０に記憶された楽器情報を読取り装置（例えば、ＩＣタグリーダ）１１で読み取って、サーバ装置２に記憶されている楽器情報と照合して、楽器１５が準備されていることを確認し、一致した場合にのみ教育を開始することで第１の実施形態と同様の効果を得ることができる。マイク１７は楽器１６を使用して楽譜に基づいて演奏される音階，演奏速度等を取得してサーバ装置２が添削を行うための者である。
【００７６】
さらにまた、図１４はそろばん練習システムへの適用例を示す。図１に示す第１の実施形態とは端末装置３にそろばん１８の玉の位置を検出するそろばん玉位置検出装置１９が接続され、ＩＣタグ１０がそろばん１８に組み込まれ、テキスト情報記憶部６にそろばん１８を特定するそろばん情報が記憶されている点で異なるが、そろばん練習を開始する際は、そろばん１８のＩＣタグ１０に記憶されたそろばん情報を読取り装置（例えば、ＩＣタグリーダ）１１で読み取って、サーバ装置２に記憶されているそろばん情報と照合して、そろばん１８が準備されていることを確認し、一致した場合にのみそろばん練習を開始することで第１の実施形態と同様の効果を得ることができる。そろばん玉位置検出装置１９はそろばん１８の操作が正しく行われているか、計算結果が正しいか否かそろばん玉位置を検出してサーバ装置２が照合，指導するためのものである。
【００７７】
このように、上記実施形態に基づいて当業者等によりなされる他の実施形態、実施例および運用技術等はすべて本発明の範疇に含まれることは勿論であることを付け加えておく。
【産業上の利用可能性】
【００７８】
本発明は、インターネット等の電気通信回線を介して行う各種教育に適用することができる。
【図面の簡単な説明】
【００７９】
【図１】本発明の第１の実施形態となる教育システムの一構成例を示す模式図である。
【図２】図１に示す生徒情報記憶部に記憶されるデータの一構成例を示す模式図である。
【図３】図１に示すテキスト情報記憶部に記憶されるデータの一構成例を示す模式図である。
【図４】ＩＣタグをテキストに組み込んだ一構成例を示す模式図である。
【図５】図１に示す教育システムの動作を説明するフローチャートである。
【図６】本発明の第１の実施形態となるログイン認証画面の一構成例を示す模式図である。
【図７】本発明の第２の実施形態となる教育システムの一構成例を示す模式図である。
【図８】図７に示すテキスト文字記憶部に記憶されるデータの一構成例を示す模式図である。
【図９】図７に示す教育システムの動作を説明するフローチャートである。
【図１０】本発明の第１の実施形態となるテキスト準備を確認する画面の一構成例を示す模式図である。
【図１１】テキスト準備を確認する文字または文字列を指定する仕組みを示す模式図である。
【図１２】本発明の第１の実施形態となる教育システムの一応用例を示す模式図である。
【図１３】本発明の第１の実施形態となる教育システムの一応用例を示す模式図である。
【図１４】本発明の第１の実施形態となる教育システムの一応用例を示す模式図である。
【符号の説明】
【００８０】
１：教育システム
２：サーバ装置
３：端末装置
４：通信回線
５：生徒情報記憶部
６：テキスト情報記憶部
７：学習問題記憶部
８：制御部
９：テキスト
１０：ＩＣタグ
１１：読取り装置
２０：教育システム
２１：サーバ装置
２２：テキスト文字記憶部
２３：テキスト文字情報抽出部
【図１】
2005157099.tif 000003
【図２】
2005157099.tif 000004
【図３】
2005157099.tif 000005
【図４】
2005157099.tif 000006
【図５】
2005157099.tif 000007
【図６】
2005157099.tif 000008
【図７】
2005157099.tif 000009
【図８】
2005157099.tif 000010
【図９】
2005157099.tif 000011
【図１０】
2005157099.tif 000012
【図１１】
2005157099.tif 000013
【図１２】
2005157099.tif 000014
【図１３】
2005157099.tif 000015
【図１４】
2005157099.tif 000016